(57)【要約】      （修正有）【課題】剛性を高めた場合でも、部材の共通化を図ることができるグローブボックスを提供すること。【解決手段】グローブボックス２は、物品を収容可能なポケット１２を有するインナ部材１０と、インナ部材１０の表面を覆うように組み付けられるアウタ部材２０とを備えている。そして、このグローブボックス２は、そのインナ部材１０とアウタ部材２０との少なくとも何れか一方がインストルメントパネルに対して揺動可能に組み付けられている。これらインナ部材１０とアウタ部材２０との間には、補強部材３０を選択的に挟み込み可能となっている。【選択図】図３
2013107414.tif 000002
【特許請求の範囲】
【請求項１】
物品を収容可能なポケットを有するインナ部材と、
インナ部材の表面を覆うように組み付けられるアウタ部材と、を備え、
インナ部材とアウタ部材との少なくとも何れか一方がインストルメントパネルに対して揺動可能に組み付けられているグローブボックスであって、
インナ部材とアウタ部材との間には、補強部材を選択的に挟み込み可能となっていることを特徴とするグローブボックス。
【請求項２】
請求項１に記載のグローブボックスであって、
補強部材は、パネル状に形成されており、
パネル状の表面には、格子状のリブが形成されていることを特徴とするグローブボックス。
【発明の詳細な説明】
【技術分野】
【０００１】
本発明は、グローブボックスに関し、詳しくは、物品を収容可能なポケットを有するインナ部材と、インナ部材の表面を覆うように組み付けられるアウタ部材とを備え、インナ部材とアウタ部材との少なくとも何れか一方がインストルメントパネルに対して揺動可能に組み付けられているグローブボックスに関する。
【背景技術】
【０００２】
従来、助手席の向かいのインストルメントパネルには、物品を収容可能なポケットを有するグローブボックスが備えられている。ここで、下記特許文献１には、物品を収容可能なポケットを有するインナ部材と、インナ部材の表面を覆うように組み付けられるアウタ部材とを備え、インナ部材とアウタ部材との少なくとも何れか一方がインストルメントパネルに対して揺動可能に組み付けられているグローブボックスが開示されている。このように揺動可能に組み付けられていると、グローブボックスを乗員の側に引き出すことができるため、ポケットに物品を出し入れする利便性を高めることができる。
【先行技術文献】
【特許文献】
【０００３】
【特許文献１】実公平７−３２２７２号公報
【発明の概要】
【発明が解決しようとする課題】
【０００４】
しかしながら、上述したグローブボックスでは、例えば、車両に追突が発生すると、車両の助手席の乗員（以下、単に、「乗員」と記す）は、自身に作用している慣性力により、自身の膝がグローブボックスに入り込むまで前方に移動してしまうことがあった。このように移動してしまうと、グローブボックスに入り込んだ膝を回転の支点とする乗員の前傾動作が行われるため、この乗員がフロントガラスに接触し易いという問題が発生していた。この問題を解決するために、グローブボックスの剛性を高めること、例えば、図７に示すように、グローブボックス１０１がインナ部材１１０とアウタ部材１２０とから構成されている場合、インナ部材１１０の表面に格子状のリブ１３２を形成することが考案された。しかしながら、この考案では、剛性を高めない場合におけるグローブボックスのインナ部材（図示しない）との部材の共通化を図ることができなかった。
【０００５】
本発明は、このような課題を解決しようとするもので、その目的は、インナ部材とアウタ部材とから構成されている場合、剛性の有無に関わらず、インナ部材とアウタ部材の共通化を図ることができるグローブボックスを提供することを課題とする。
【課題を解決するための手段】
【０００６】
本発明は、上記の目的を達成するためのものであって、以下のように構成されている。
請求項１に記載の発明は、物品を収容可能なポケットを有するインナ部材と、インナ部材の表面を覆うように組み付けられるアウタ部材と、を備え、インナ部材とアウタ部材との少なくとも何れか一方がインストルメントパネルに対して揺動可能に組み付けられているグローブボックスであって、インナ部材とアウタ部材との間には、補強部材を選択的に挟み込み可能となっていることを特徴とする構成である。
この構成によれば、どちらのグローブボックス（インナ部材とアウタ部材との間に補強部材が挟み込まれていないグローブボックスとインナ部材とアウタ部材との間に補強部材が挟み込まれているグローブボックス）でも、同一のインストルメントパネルに揺動可能に組み付けることができる。そのため、補強部材による剛性の有無に関わらず、インナ部材とアウタ部材の共通化を図ることができる。
【０００７】
また、請求項２に記載の発明は、請求項１に記載のグローブボックスであって、補強部材は、パネル状に形成されており、パネル状の表面には、格子状のリブが形成されていることを特徴とする構成である。
この構成によれば、補強部材を挟み込んでいないグローブボックスより、補強部材３０を挟み込んだグローブボックスの剛性をより高めることができる。
【図面の簡単な説明】
【０００８】
【図１】図１は、本発明の実施例１に係るグローブボックスの分解斜視図である。
【図２】図２は、図１の組み付け状態における縦断面の一部を示す図である。
【図３】図３は、本発明の実施例２に係るグローブボックスの分解斜視図である。
【図４】図４は、図２の組み付け状態における縦断面の一部を示す図である。
【図５】図５は、図４の第１の変形例である。
【図６】図６は、図４の第２の変形例である。
【図７】図７は、従来技術に係るグローブボックスの分解斜視図である。
【発明を実施するための形態】
【０００９】
以下、本発明を実施するための形態を、図面を用いて説明する。
（実施例１）
まず、本発明の実施例１を、図１〜２を用いて説明する。この実施例１のグローブボックス１は、主として、インナ部材１０とアウタ部材２０とから構成されている。
【００１０】
インナ部材１０は、その内側に物品（図示しない）を収容可能なポケット１２を有する略コ字状に形成された枠部材から構成されている。このインナ部材１０は、剛性を有する合成樹脂により一体的に成形されている。
【００１１】
一方、アウタ部材２０は、インナ部材１０のコ字の枠を覆うように略矩形状に形成されたパネル部材から構成されている。このアウタ部材２０の外の表面は、インストルメントパネル（図示しない）の意匠と一体を成すように形成されている。このアウタ部材２０も、インナ部材１０と同様に、剛性を有する合成樹脂により一体的に成形されている。
【００１２】
そして、インナ部材１０とアウタ部材２０との適宜の箇所が接合されている。この接合は、例えば、バイブレーション溶着によって行われている。このようにしてグローブボックス１が組み立てられる。なお、このようにして組み立てられたグローブボックス１は、そのインナ部材１０がインストルメントパネルの開口の縁（いずれも図示しない）に対して手前側（助手席側）に向けて揺動可能に組み付けられている。これにより、グローブボックス１を乗員の側に引き出すことができるため、ポケット１２に物品を出し入れする利便性を高めることができる。グローブボックス１は、このように構成されている。
【００１３】
（実施例２）
次に、本発明の実施例２を、図３〜４を用いて説明する。この実施例２のグローブボックス２は、実施例１のグローブボックス１と比較すると、剛性を高めたものである。なお、以下の説明にあたって、実施例１で説明した部材と同一または均等な構成の部材には、図面において同一符号を付すことで、重複する説明は省略することとする。
【００１４】
この実施例２のグローブボックス２は、主として、インナ部材１０とアウタ部材２０と補強部材３０から構成されている。補強部材３０は、アウタ部材２０より一回り小さくなるように略矩形状に形成されたパネル部材から構成されている。この補強部材３０の外側の表面には、格子状のリブ３２が形成されている。この補強部材３０も、インナ部材１０、アウタ部材２０と同様に、剛性を有する合成樹脂により一体的に成形されている。
【００１５】
なお、このリブ３２の高さは、後述するように、この補強部材３０をインナ部材１０とアウタ部材２０との間に挟み込んでグローブボックス２を組み立てても、この組み立てたグローブボックス２のインナ部材１０からアウタ部材２０までの厚みが、実施例１のグローブボックス１のそれと同じになるように形成されている。これにより、同一のインストルメントパネルであれば、どちらのグローブボックス１、２でも組み付けることができる。
【００１６】
そして、インナ部材１０と補強部材３０との適宜の箇所が接合され、これと同様に、アウタ部材２０と補強部材３０との適宜の箇所が接合されている。これらの接合は、例えば、バイブレーション溶着によって行われている。このようにしてグローブボックス２が組み立てられる。なお、このようにして組み立てられたグローブボックス２も、実施例１のグローブボックス１と同様に、そのインナ部材１０がインストルメントパネルの開口の縁（いずれも図示しない）に対して手前側（助手席側）に向けて揺動可能に組み付けられている。グローブボックス２は、このように構成されている。
【００１７】
上述した実施例１のグローブボックス１と実施例２のグローブボックス２とを比較すると、これらグローブボックス１、２は、互いに共通な部材であるインナ部材１０とアウタ部材２０との間に補強部材３０を挟み込んでいるか否かの点が相違しているだけである。この記載が、特許請求の範囲に記載の「インナ部材とアウタ部材との間には、補強部材を選択的に挟み込み可能となっている」に相当する。
【００１８】
本発明の実施例に係るグローブボックス１、２は、上述したように構成されている。この構成によれば、グローブボックス１は、主として、インナ部材１０とアウタ部材２０とから構成されている。一方、グローブボックス２は、主として、インナ部材１０とアウタ部材２０と補強部材３０から構成されている。そして、これらどちらのグローブボックス１、２でも、同一のインストルメントパネルの開口の縁に揺動可能に組み付けることができる。そのため、補強部材３０による剛性の有無に関わらず、インナ部材１０とアウタ部材２０の共通化を図ることができる。
【００１９】
また、この構成によれば、補強部材３０の外側の表面には、格子状のリブ３２が形成されている。そのため、補強部材３０を挟み込んでいないグローブボックス１より、補強部材３０を挟み込んだグローブボックス２の剛性をより高めることができる。
【００２０】
上述した内容は、あくまでも本発明の一実施の形態に関するものであって、本発明が上記内容に限定されることを意味するものではない。
実施例１、２では、グローブボックス１、２は、そのインナ部材１０がインストルメントパネルの開口の縁に対して手前側に向けて揺動可能に組み付けられている例を説明した。しかし、これに限定されるものでなく、グローブボックス１、２は、そのアウタ部材２０がインストルメントパネルの開口の縁に対して手前側に向けて揺動可能に組み付けられていても構わない。
【００２１】
また、実施例２では、インナ部材１０と補強部材３０とをバイブレーション溶着によって接合する例を説明した。しかし、これに限定されるものでなく、図５に示すように、インナ部材１０と補強部材３０とをネジ４０によって接合しても構わない。その場合、インナ部材１０にはボス１４を設け、補強部材３０にはボス１４に対応するようにネジ孔３４を設ける必要がある。
【００２２】
また、実施例２では、アウタ部材２０と補強部材３０とをバイブレーション溶着によって接合する例を説明した。しかし、これに限定されるものでなく、図６に示すように、アウタ部材２０と補強部材３０とを引っ掛けて接合しても構わない。その場合、アウタ部材２０には係合爪２２を設け、補強部材３０には係合爪２２に対応するように係合孔３６を設ける必要がある。
【符号の説明】
【００２３】
１      グローブボックス（実施例１）
２      グローブボックス（実施例２）
１０    インナ部材
１２    ポケット
２０    アウタ部材
３０    補強部材
３２    リブ
【図１】
2013107414.tif 000003
【図２】
2013107414.tif 000004
【図３】
2013107414.tif 000005
【図４】
2013107414.tif 000006
【図５】
2013107414.tif 000007
【図６】
2013107414.tif 000008
【図７】
2013107414.tif 000009